(57)【要約】      （修正有）【課題】上部および下部胴縁に縦格子をワンタッチで確実に取り付けることができ、両胴縁と縦格子とのなす角度を所定角度範囲内で任意に変えられる傾斜地対応フェンスを提供する。【解決手段】支持材６は、縦格子５内に挿入され、一端が縦格子５に固定される板バネ７と、板バネ７の他端外面に突設された爪８とからなり、縦格子５の上端部近傍には、爪８が出入する爪用上部開口が設けられ、縦格子５の下端部近傍には、爪８が出入する爪用下部開口５Ｂが、爪用上部開口と反対側に設けられ、爪８は、縦格子５を縦格子用開口５Ｂ内に挿入する際に、爪８の側面８Ａが縦格子用開口５Ｂに接して、板バネ７の弾性力に抗して縦格子５内に押し込まれ、この後、爪８は、板バネ７の弾性力によって爪用開口５Ｂから突出して、上部および下部胴縁の内面と係合する。【選択図】図７
2008014102.tif 000002
【特許請求の範囲】
【請求項１】
支柱と、前記支柱間に取り付けられるパネルとからなり、前記パネルは、上部胴縁および下部胴縁と、前記上部胴縁と前記下部胴縁との間に取り付けられ、端部が前記上部胴縁および前記下部胴縁に形成された縦格子用開口内に挿入される複数本の縦格子と、前記上部胴縁および前記下部胴縁に前記縦格子を、前記縦格子が前記上部胴縁および前記下部胴縁から抜け出ないように固定する支持材とからなる傾斜地対応フェンスにおいて、
前記支持材は、前記縦格子内に挿入され、一端が前記縦格子に固定される板バネと、前記板バネの他端外面に突設された爪とからなり、前記縦格子の上端部近傍には、前記爪が出入する爪用上部開口が設けられ、前記縦格子の下端部近傍には、前記爪が出入する爪用下部開口が、前記爪用上部開口と反対側に設けられ、前記爪は、前記縦格子を前記縦格子用開口内に挿入する際に、前記爪の側面が前記縦格子用開口に接して、前記板バネの弾性力に抗して前記縦格子内に押し込まれ、この後、前記爪は、前記板バネの弾性力によって前記爪用開口から突出して、前記上部胴縁および前記下部胴縁の内面と係合することを特徴とする傾斜地対応フェンス。
【請求項２】
前記板バネは、前記縦格子に溶接、かしめ、または、ボルトにより固定されていることを特徴とする、請求項１記載の傾斜地対応フェンス。
【請求項３】
前記縦格子は、前記上部胴縁および前記下部胴縁に前記縦格子を直角に取り付けたときに、前記縦格子の上端が前記上部胴縁の上部内面に接し、前記縦格子の下端が前記下部胴縁の下部内面と接する長さを有することを特徴とする、請求項１または２記載の傾斜地対応フェンス。
【請求項４】
前記爪の側面は、前記縦格子の前記板バネ挿入側端部に向って連続的に内側に傾斜していることを特徴とする、請求項１から３の何れか１つに記載の傾斜地対応フェンス。
【請求項５】
前記爪の側面は、前記板バネと平行であることを特徴とする、請求項１から３の何れか１つに記載の傾斜地対応フェンス。
【請求項６】
前記爪の側面は、円弧状に湾曲していることを特徴とする、請求項１から３の何れか１つに記載の傾斜地対応フェンス。
【請求項７】
前記爪は、前記板バネの一部を折り曲げることによって形成されていることを特徴とする、請求項１から６の何れか１つに記載の傾斜地対応フェンス。
【請求項８】
前記爪は、前記板バネとは別部材で構成されていることを特徴とする、請求項１から７の何れか１つに記載の傾斜地対応フェンス。
【請求項９】
前記爪の側面には、前記爪が前記爪用開口から突出したときに、前記縦格子の外面と係合する突出部が形成されていることを特徴とする、請求項１から８の何れか１つに記載の傾斜地対応フェンス。
【請求項１０】
前記上部胴縁、前記下部胴縁および前記縦格子は、何れも丸パイプからなることを特徴とする、請求項１から９の何れか１つに記載の傾斜地対応フェンス。
【請求項１１】
フェンスを構成するパネルの胴縁に形成された縦格子用開口内に挿入される縦格子の取り付け構造において、
前記縦格子内に挿入され、一端が前記縦格子に固定される板バネと、前記板バネの他端外面に突設された爪とからなる支持材と、前記縦格子の端部近傍に形成された爪用開口とを備え、前記爪は、前記板バネの弾性力によって前記爪用開口から突出し、前記胴縁の内面と係合することを特徴とする、胴縁と縦格子との取り付け構造。
【発明の詳細な説明】
【技術分野】
【０００１】
この発明は、支持材を備えた傾斜地対応フェンスおよびこの支持材による胴縁と縦格子との取り付け構造、特に、上部および下部胴縁に縦格子を、縦格子が上部および下部胴縁から抜け出ないようにワンタッチで確実に取り付けることができ、しかも、上部および下部胴縁と縦格子とのなす角度を所定角度範囲内で任意に変えることができ、さらに、縦格子にガタツキが生じない、支持材を備えた傾斜地対応フェンスおよびこの支持材による胴縁と縦格子との取り付け構造に関するものである。
【背景技術】
【０００２】
例えば、道路と歩道との間等に設置されるフェンスは、図１２に示すように、支柱１１と支柱１１間に取り付けられるパネル１２からなり、パネル１２として、上部および下部胴縁１３、１４と、上部胴縁１３と下部胴縁１４との間に、これら胴縁１３、１４と直角に固定される複数本の縦格子１５とから構成されるものがある。
【０００３】
このようなフェンスを勾配がない路面に設置する場合には、長方形状のパネル１２を予め工場で製造しておくことができるので、フェンスの設置コストの低減を図ることができるが、フェンスを傾斜地に設置する場合には、道路勾配がまちまちであるので、道路勾配に合わせて上部および下部胴縁１３、１４と縦格子１５とのなす角度が異なるパネル１２を製造せざるを得ず、フェンスの設置コストの上昇を招いていた。
【０００４】
そこで、フェンスの設置コストの低減を目的として、道路勾配に合わせて上部および下部胴縁１３、１４と縦格子１５との取り付け角度を任意に変えることができるフェンスの開発が望まれている。このような傾斜地対応フェンスの一例が、特許文献１（特開２００４−３６０３７２号公報）に開示されている。以下、このフェンスを従来フェンスといい、図面を参照しながら説明する。
【０００５】
図１３は、従来フェンスを示す図であり、同図（ａ）は、正面図、同図（ｂ）は、側面図、同図（ｃ）は、同図（ａ）のＡ部の一部省略拡大断面図、図１４は、従来フェンスの縦格子を示す図であり、同図（ａ）は、一部省略断面図、同図（ｂ）は、同図（ａ）のＣ−Ｃ線断面図、図１５は、縦格子を上部胴縁および下部胴縁に固定する支持材を示す一部省略正面図である。
【０００６】
図１３から図１５に示すように、従来フェンスは、支柱１６と、支柱１６間に取り付けられるパネル１７とからなっている。パネル１７は、パイプ状の上部および下部胴縁１８、１９と、上部胴縁１８と下部胴縁１９との間に取り付けられ、端部が上部胴縁１８と下部胴縁１９とに形成された角状挿入孔１８Ａ、１９Ａ内に挿入される複数本のパイプ状縦格子２０と、縦格子２０を、これが上部胴縁１８および下部胴縁１９から抜け出さないように、両胴縁１８、１９に固定する支持材２１とからなっている。縦格子２０の両端部は、角状に絞られ、この部分に支持材２１が挿入される貫通孔２０Ａが形成されている。支持材２１は、棒状をなし、一端部に支持材２１の抜け出し防止のための屈曲部２１Ａが形成されている。
【０００７】
このように構成されている、従来フェンスを設置するには、図１３（ｃ）に示すように、縦格子２０の端部を、上部胴縁１８および下部胴縁１９に形成された挿入孔１８Ａ、１９Ａ内に挿入し、パイプ状胴縁１８、１９内に突出した縦格子２０の端部の貫通孔２０Ａ内に支持材２１を胴縁１８、１９の端部から挿入する。
【０００８】
このように、支持材２１を縦格子２０の端部の貫通孔２０Ａ内に挿入することによって、各縦格子２０は、これらが上部胴縁１８および下部胴縁１９から抜け出ないように、両胴縁１８、１９に取り付けられ、しかも、胴縁１８、１９の角状挿入孔１８Ａ、１９Ａと縦格子２０の端部と貫通孔２０Ａとの間には若干のクリアランスがあるので、上部および下部胴縁１８、１９と縦格子２０との取り付け角度を所定角度範囲内で任意に変えることが可能となる。従って、フェンスを道路勾配に合わせて設置することができる。
【０００９】
【特許文献１】特開２００４−３６０３７２号公報
【発明の開示】
【発明が解決しようとする課題】
【００１０】
上記従来フェンスによれば、上部および下部胴縁１８、１９と縦格子２０との取り付け角度を所定角度範囲内で任意に変えることができるといった利点を有しているが、以下のような問題点を有していた。
【００１１】
（ａ）支持材２１を胴縁１８、１９の一端から入れて、全ての縦格子２０の貫通孔２０Ａ内に挿入する作業は、縦格子２０の端部と胴縁１８、１９の挿入孔１８Ａ、１９Ａとが互いに角状であり、縦格子２０が軸回りに回転しないとはいえ、各貫通孔２０Ａが一直線状に並ぶとは限らず、極めて大変な作業である。特に、小寸法のフェンスで、縦格子２０が小径の場合には、貫通孔２０Ａの内径も小さくなるので大変な作業となる。
（ｂ）上部および下部胴縁１８、１９と縦格子２０との取り付け角度を所定角度範囲内で任意に変えることを可能にするために、縦格子２０の両端部に貫通孔２０Ａをある程度大きくする必要があるが、このようにすると、縦格子２０にガタツキが生じる。
【００１２】
従って、この発明の目的は、上部および下部胴縁に縦格子を、縦格子が上部および下部胴縁から抜け出ないようにワンタッチで確実に取り付けることができ、しかも、上部および下部胴縁と縦格子とのなす角度を所定角度範囲内で任意に変えることができ、さらに、縦格子にガタツキが生じない、支持材を備えた傾斜地対応フェンスおよびこの支持材による取り付け構造を提供することにある。
【課題を解決するための手段】
【００１３】
この発明は、上述の目的を達成するためになされたものであって，下記を特徴とするものである。
【００１４】
請求項１記載の発明は、支柱と、前記支柱間に取り付けられるパネルとからなり、前記パネルは、上部胴縁および下部胴縁と、前記上部胴縁と前記下部胴縁との間に取り付けられ、端部が前記上部胴縁および前記下部胴縁に形成された縦格子用開口内に挿入される複数本の縦格子と、前記上部胴縁および前記下部胴縁に前記縦格子を、前記縦格子が前記上部胴縁および前記下部胴縁から抜け出ないように固定する支持材とからなる傾斜地対応フェンスにおいて、前記支持材は、前記縦格子内に挿入され、一端が前記縦格子に固定される板バネと、前記板バネの他端外面に突設された爪とからなり、前記縦格子の上端部近傍には、前記爪が出入する爪用上部開口が設けられ、前記縦格子の下端部近傍には、前記爪が出入する爪用下部開口が、前記爪用上部開口と反対側に設けられ、前記爪は、前記縦格子を前記縦格子用開口内に挿入する際に、前記爪の側面が前記縦格子用開口に接して、前記板バネの弾性力に抗して前記縦格子内に押し込まれ、この後、前記爪は、前記板バネの弾性力によって前記爪用開口から突出して、前記上部胴縁および前記下部胴縁の内面と係合することに特徴を有するものである。
【００１５】
請求項２記載の発明は、請求項１記載の発明において、前記板バネは、前記縦格子に溶接、かしめ、または、ボルトにより固定されていることに特徴を有するものである。
【００１６】
請求項３記載の発明は、請求項１または２記載の発明において、前記縦格子は、前記上部胴縁および前記下部胴縁に前記縦格子を直角に取り付けたときに、前記縦格子の上端が前記上部胴縁の上部内面に接し、前記縦格子の下端が前記下部胴縁の下部内面と接する長さを有することに特徴を有するものである。
【００１７】
請求項４記載の発明は、請求項１から３の何れか１つに記載の発明において、前記爪の側面は、前記縦格子の前記板バネ挿入側端部に向って連続的に内側に傾斜していることに特徴を有するものである。
【００１８】
請求項５記載の発明は、請求項１から３の何れか１つに記載の発明において、前記爪の側面は、前記板バネと平行であることに特徴を有するものである。
【００１９】
請求項６記載の発明は、請求項１から３の何れか１つに記載の発明において、前記爪の側面は、円弧状に湾曲していることに特徴を有するものである。
【００２０】
請求項７記載の発明は、請求項１から６の何れか１つに記載の発明において、前記爪は、前記板バネの一部を折り曲げることによって形成されていることに特徴を有するものである。
【００２１】
請求項８記載の発明は、請求項１から７の何れか１つに記載の発明において、前記爪は、前記板バネとは別部材で構成されていることに特徴を有するものである。
【００２２】
請求項９記載の発明は、請求項１から８の何れか１つに記載の発明において、前記爪の側面には、前記爪が前記爪用開口から突出したときに、前記縦格子の外面と係合する突出部が形成されていることに特徴を有するものである。
【００２３】
請求項１０記載の発明は、請求項１から９の何れか１つに記載の発明において、前記上部胴縁、前記下部胴縁および前記縦格子は、何れも丸パイプからなることに特徴を有するものである。
【００２４】
請求項１１記載の発明は、フェンスを構成するパネルの胴縁に形成された縦格子用開口内に挿入される縦格子の取り付け構造において、前記縦格子内に挿入され、一端が前記縦格子に固定される板バネと、前記板バネの他端外面に突設された爪とからなる支持材と、前記縦格子の端部近傍に形成された爪用開口とを備え、前記爪は、前記板バネの弾性力によって前記爪用開口から突出し、前記胴縁の内面と係合することに特徴を有するものである。
【発明の効果】
【００２５】
この発明によれば、上部および下部胴縁に縦格子を、縦格子が上部および下部胴縁から抜け出ないようにワンタッチで確実に取り付けることができ、しかも、上部および下部胴縁と縦格子とのなす角度を所定角度範囲内で任意に変えることができ、さらに、縦格子にガタツキが生じない、支持材を備えた傾斜地対応フェンスおよびこの支持材による胴縁と縦格子との取り付け構造を提供することができる。
【発明を実施するための最良の形態】
【００２６】
次に、この発明の傾斜地対応フェンスの一実施態様を、図面を参照しながら説明する。
【００２７】
図１は、この発明の傾斜地対応フェンスを示す正面図、図２は、この発明の傾斜地対応フェンスの下部胴縁を示す一部省略平面図、図３は、この発明の傾斜地対応フェンスの縦格子を示す一部省略側面図、図４は、図１のＡ−Ａ線断面図、図５は、支持材を示す展開図、図６は、支持材を示す斜視図、図７は、図４のＢ−Ｂ線拡大断面図、図８は、胴縁と縦格子との取り付け状態を示す図であり、同図（ａ）は、フェンスの設置路面に勾配がない場合の正面図、同図（ｂ）は、フェンスの設置路面が左上がり勾配の場合の正面図、同図（ｃ）は、フェンスの設置路面が右上がり勾配の場合の正面図、図９は、さらに別の形状の支持材を示す部分斜視図であり、同図（ａ）は、板バネの一方の片を外方に折り曲げて爪を形成した支持材を示す斜視図、同図（ｂ）、（ｃ）は、板バネの一方の片に別の爪部材を固定した支持材を示す斜視図である。
【００２８】
図１に示すように、この発明の傾斜地対応フェンスは、支柱１と、支柱１間にブラケット９を介して角度調整可能に固定されるパネル２とからなっている。パネル２は、それぞれ丸パイプからなる上部胴縁３および下部胴縁４と、上部胴縁３と下部胴縁４との間に取り付けられ、端部が上部胴縁３と下部胴縁４とに挿入される丸パイプからなる複数本の縦格子５と、縦格子５を、これが上部胴縁３および下部胴縁４から抜け出ないように、上部胴縁３および下部胴縁４に固定する支持材６とからなっている（図６参照）。
【００２９】
縦格子５は、上部胴縁３および下部胴縁４に縦格子５を直角に取り付けたときに、縦格子５の上端が上部胴縁３の上部内面に接し、縦格子５の下端が下部胴縁４の下部内面と接する長さを有している。縦格子５の長さをこのようにしたのは、縦格子５を上部胴縁３および下部胴縁４に取り付けたときに、縦格子５に生じる上下方向のガタツキを、上部および下部胴縁３、４の傾斜角度に無関係に防止するためである。
【００３０】
縦格子５の上端部近傍には、後述する爪８が出入する爪用上部開口５Ａが設けられ、縦格子５の下端部近傍には、前記爪８が出入する爪用下部開口５Ｂが、爪用上部開口５Ａと反対側に設けられている（図３参照）。このように、爪用上部および下部開口５Ａ、５Ｂが互いに反対側に形成され、これにより前記爪８も互いに反対側に設けられる理由は、後述する。
【００３１】
図２に示すように、下部胴縁４には、縦格子５の端部が挿入される円形状の縦格子用開口４Ａが軸方向に縦格子５の間隔と等しい間隔をあけて形成されている。上部胴縁３にも、下部胴縁４と同様に、円形状の縦格子用開口３Ａが軸方向に縦格子５の間隔と等しい間隔をあけて形成されている。
【００３２】
なお、開口３Ａ、４Ａの径は、縦格子５を傾斜させることを考慮して、縦格子５の外径よりある程度大きく形成するが、開口３Ａ、４Ａを上部および下部胴縁３、４の軸線方向に長孔に形成し、開口３Ａ、４Ａの幅を縦格子５の外径と等しくすれば、縦格子５が上部および下部胴縁３、４の径方向にガタツクことを防止することができる。
【００３３】
図５および図６に示すように、支持材６は、縦格子５内に挿入され、一端が縦格子５に固定される板バネ７と、板バネ７の他端外面に突設された爪８とからなっている。板バネ７は、その一端を折り曲げ、この折り曲げ部分を縦格子５に嵌め込み溶接することによって縦格子５に固定されている。板バネ７の縦格子５への固定は、溶接以外に、かしめ、ボルト等であっても良い。図示の例は、溶接である。爪８は、縦格子５の板バネ挿入側端部に向って連続的に内側に傾斜する側面８Ａを有している。
【００３４】
図５に示すように、爪８は、板バネ７の一端近傍の両側に、幅寸法が板バネ７の端部に向って増加する一対の張り出し部７Ａを形成し、一対の張り出し部７Ａの各々を板バネ７の外方に直角に折り曲げたものから形成されている。図９（ａ）に示すように、板バネ７の一部を、その正面形状が図６の爪８の形状になるように外方に折り曲げて、爪８を形成しても良い。
【００３５】
このように、板バネ７の一方の片の一部を折り曲げて爪８を形成する以外に、図９（ｂ）および（ｃ）に示すように、別に製作した爪部材を板バネ７に固定しても良い。
【００３６】
爪８の正面形状は、その側面８Ａが上述のように傾斜している形状以外に、図１０（ａ）に示すように、側面８Ａが板バネ７と平行な形状であっても、同図（ｂ）に示すように、側面８Ａが半円形状の形状であっても、または、同図（ｃ）に示すように、側面８Ａが１／４円形状の形状であっても良い。
【００３７】
爪８は、縦格子５の端部を縦格子用開口３Ａ、４Ａ内に挿入する際に、側面８Ａが縦格子用開口３Ａ、４Ａに接して、板バネ７の弾性力に抗して縦格子５内に押し込まれ、この後、爪８は、板バネ７の弾性力により復帰し、爪用上部および下部開口５Ａ、５Ｂから突出して、上部胴縁および下部胴縁３、４の内面と係合する。これによって、縦格子５は、これが上部胴縁および下部胴縁３、４から抜け出ないように固定される。
【００３８】
爪８の側面８Ａには、爪８が爪用上部および下部開口５Ａ、５Ｂから突出したときに、縦格子５の外面と係合する突出部８Ｂが形成されている。縦格子５に軸線回りの回転力が作用すると、爪８には、これが縦格子５内に押し込まれる力（Ｆ）が発生し（図７参照）、軸線回りの回転力の大きさによっては、縦格子５が回転してしまう場合がある。しかし、突出部８Ｂがあると、縦格子５に軸線回りの大きな回転力が作用しても、突出部８Ｂが縦格子５の外面と係合する結果、爪８は、縦格子５内に押し込まれず、縦格子５の軸回りのガタツキが防止される。
【００３９】
図１１（ａ）から（ｃ）に、図１０（ａ）から（ｃ）に示す形状の爪８に突出部８Ｂが形成された爪８の正面形状を示す。
【００４０】
このように構成されている、この発明の傾斜地対応フェンスを組み立てるには、以下のようにする。
【００４１】
先ず、上部および下部胴縁３、４内に支持材６を、板バネ７を縮めた状態で、その折り曲げ端を後にして縦格子５内に挿入する。爪８が爪用上部および下部開口５Ａ、５Ｂ位置まで来ると、爪８は、板バネ７の弾性力により爪用上部および下部開口５Ａ、５Ｂから突出する。
【００４２】
このようにして、支持材６を縦格子５内に挿入したら、縦格子５の端部を上部および下部胴縁３、４の縦格子用開口３Ａ、４Ａ内に挿入する。この挿入に際して、爪８は、その側面８Ａが縦格子用開口３Ａ、４Ａに接して、板バネ７の弾性力に抗して縦格子５内に押し込まれ、この後、爪８は、板バネ７の弾性力により復帰し、爪用上部および下部開口３Ａ、４Ａから突出して、上部および下部胴縁３、４の内面と係合する。
【００４３】
この発明の傾斜地対応フェンスは、図８（ａ）に示すように、勾配がない道路に設置する場合は勿論、勾配がある道路にも、道路勾配に合わせて簡単に設置することができる。
【００４４】
左上がり勾配の道路に設置する場合には、同図（ｂ）に示すように、縦格子５に対して、上部および下部胴縁３、４をそれぞれ左上がりに傾斜させる。この場合、縦格子５の上下端部内に挿入されている支持材６の爪８が互いに反対側に設けられているので、上部および下部胴縁３、４と縦格子５とのなす角度は、所定の所定角度範囲内で任意に変えることができる。
【００４５】
すなわち、垂直な縦格子５に対して、上部および下部胴縁３、４を左上がりに傾斜させると、縦格子５の上端右側部（Ｐ１）および下端左側部（Ｐ２）は、上部および下部胴縁３、４の内面に接触したままで、上端左側部（Ｐ３）および下端右側部（Ｐ４）は、上部および下部胴縁３、４の内面から離れる。これと同時に、縦格子５の上端部側爪８の下面と上部胴縁３の内面との接点（Ｑ１）および縦格子５の下端部側爪８の上面と下部胴縁４の内面との接点（Ｑ２）は、接触したままで、縦格子５の上端部側爪８の先端部（Ｑ３）および縦格子５の下端部側爪８の先端部（Ｑ４）は、上部および下部胴縁３、４の内面から離れる。このようにして、上部および下部胴縁３、４は、縦格子５に対して傾斜させることができる。この逆方向には、上部および下部胴縁３、４を傾斜させることはできない。
【００４６】
右上がり勾配の道路に設置する場合には、同図（ｃ）に示すように、同図（ｂ）の場合とパネルの表裏を反転させれば良い。
【００４７】
上述したように、この発明の傾斜地対応フェンスによれば、以下のような効果がもたらされる。
【００４８】
（１）縦格子５を上部および下部胴縁３、４に差し込むだけで、縦格子５を上部および下部胴縁３、４にワンタッチで確実に両胴縁から抜け出さないように取り付けることができる。
（２）縦格子５の長さを上部胴縁３の上部内面と下部胴縁４の下部内面との間の距離とすることによって、縦格子５の上下方向のガタツキを防止することができる。
（３）上部および下部胴縁３、４の内面と係合する支持材６の爪８を縦格子５の上下で逆向きに取り付けることによって、上部および下部胴縁３、４と縦格子５とのなす角度を所定角度範囲内で任意に変えることができる。
（４）爪８に突出部８Ｂを形成することにより、縦格子５の軸回りのガタツキを防止することができる。
【図面の簡単な説明】
【００４９】
【図１】この発明の傾斜地対応フェンスを示す正面図である。
【図２】この発明の傾斜地対応フェンスの下部胴縁を示す一部省略平面図である。
【図３】この発明の傾斜地対応フェンスの縦格子を示す一部省略側面図である。
【図４】図１のＡ−Ａ線断面図である。
【図５】支持材を示す展開図である。
【図６】支持材を示す斜視図である。
【図７】図４のＢ−Ｂ線拡大断面図である。
【図８】胴縁と縦格子との取り付け状態を示す図であり、同図（ａ）は、フェンスの設置路面に勾配がない場合の正面図、同図（ｂ）は、フェンスの設置路面が左上がり勾配の場合の正面図、同図（ｃ）は、フェンスの設置路面が右上がり勾配の場合の正面図である。
【図９】さらに別の形状の支持材を示す部分斜視図であり、同図（ａ）は、板バネの一方の片を外方に折り曲げて爪を形成した支持材を示す斜視図、同図（ｂ）、（ｃ）は、板バネの一方の片に別の爪部材を固定した支持材を示す斜視図である。
【図１０】別の形状の爪を示す正面図であり、同図（ａ）は、側面が一方の片と平行な形状の爪を示す正面図であり、同図（ｂ）は、側面が半円形状の形状の爪を示す正面図であり、同図（ｃ）は、側面が１/４円形状の形状の爪を示す正面図である。
【図１１】突出部が形成された別の形状の爪を示す正面図であり、同図（ａ）は、側面が一方の片と平行な形状の爪を示す正面図であり、同図（ｂ）は、側面が半円形状の形状の爪を示す正面図であり、同図（ｃ）は、側面が１/４円形状の形状の爪を示す正面図である。
【図１２】長方形状のパネルを備えたフェンスを示す正面図である。
【図１３】従来フェンスを示す図であり、同図（ａ）は、正面図、同図（ｂ）は、側面図、同図（ｃ）は、同図（ａ）のＡ部の一部省略拡大断面図である。
【図１４】従来フェンスの縦格子を示す図であり、同図（ａ）は、一部省略断面図、同図（ｂ）は、同図（ａ）のＣ−Ｃ線断面図である。
【図１５】縦格子を上部胴縁および下部胴縁に固定する支持材を示す一部省略正面図である。
【符号の説明】
【００５０】
１：支柱
２：パネル
３：上部胴縁
３Ａ：縦格子用開口
４：下部胴縁
４Ａ：縦格子用開口
５：縦格子
５Ａ：爪用上部開口
５Ｂ：爪用下部開口
６：支持材
７：板バネ
７Ａ：張り出し部
８：爪
８Ａ：側面
８Ｂ：突出部
９：ブラケット
１１：支柱
１２：パネル
１３：上部胴縁
１４：下部胴縁
１５：縦格子
１６：支柱
１７：パネル
１８：上部胴縁
１８Ａ：挿入孔
１９：下部胴縁
１９Ａ：挿入孔
２０：縦格子
２０Ａ：貫通孔
２１：支持材
２１Ａ：屈曲部
【図１】
2008014102.tif 000003
【図２】
2008014102.tif 000004
【図３】
2008014102.tif 000005
【図４】
2008014102.tif 000006
【図５】
2008014102.tif 000007
【図６】
2008014102.tif 000008
【図７】
2008014102.tif 000009
【図８】
2008014102.tif 000010
【図９】
2008014102.tif 000011
【図１０】
2008014102.tif 000012
【図１１】
2008014102.tif 000013
【図１２】
2008014102.tif 000014
【図１３】
2008014102.tif 000015
【図１４】
2008014102.tif 000016
【図１５】
2008014102.tif 000017